(57)【要約】【課題】家庭用の風呂を簡単に泡風呂化することができ、しかも、使用しない場合には、気泡噴出マットを渦巻き状や九折状などのコンパクトな形態として保管できる家庭用に好適な泡風呂装置を提供する。【解決手段】使用状態において、送気装置２から供給される空気は、気泡噴出マット４の接続口から上下のマット材間の連通路を介して各送気パイプ内にその連通口から流入する。そして、この空気は、各送気パイプの上面の複数の連通口から上部のマット材の複数の気泡噴出孔を通して湯中に気泡となって噴出する。また、使用しない場合は、気泡噴出マット４は、送気パイプの配列方向に沿って渦巻き状に巻いたり九折状に折り畳んでコンパクトな形態とすることができる。【選択図】　　　　図１
2004089391.tif 000002
【特許請求の範囲】
【請求項１】
空気供給源に着脱自在に接続されて浴槽内の底面に設置される板状の気泡噴出マットを備えた泡風呂装置であって、前記気泡噴出マットは、上下のマット材の間に複数の送気パイプを並列に配列して包持した構造を有し、上下のマット材の間には、前記空気供給源に対する接続口を前記各送気パイプの端面または側面に開口された連通口に連通させる連通路が形成されていると共に、上部のマット材には、前記各送気パイプの上面に開口された複数の空気噴出孔に連通する複数の気泡噴出孔が形成されていることを特徴とする泡風呂装置。
【請求項２】
空気供給源に着脱自在に接続されて浴槽内の底面に設置される気泡噴出マットを備えた泡風呂装置であって、前記気泡噴出マットは、上下のマット材の間に複数の送気パイプを並列に配列して包持した構造を有し、各送気パイプの一端部には、前記空気供給源に対する接続口を有する集合パイプが着脱自在に接続されると共に、上部のマット材には、前記各送気パイプの上面に開口された複数の空気噴出孔に連通する複数の気泡噴出孔が形成されていることを特徴とする泡風呂装置。
【発明の詳細な説明】
【０００１】
【発明の属する技術分野】
この発明は、浴槽内に張られた湯中に気泡を噴出させる泡風呂装置に関し、特に家庭用に適した泡風呂装置に関するものである。
【０００２】
【従来の技術】
浴槽内に張られた湯中に気泡を噴出させる家庭用の泡風呂装置として、浴槽内に設置される気泡噴出マットと、この気泡噴出マットに空気を供給する空気供給装置とを備えたものが従来一般に知られている。ここで、前記気泡噴出マットは、通常、浴槽内の底面に設置される板状に構成されているが、箱状に構成されたものも知られている（特開平６−４７０８０号公報参照）。
【０００３】
【発明が解決しようとする課題】
ところで、前記した従来の泡風呂装置において、箱状に構成された気泡噴出マットは、浴槽内に設置された状態のまま長期間使用されることを前提としており、浴槽内から簡単に撤収することができない構造となっている。この点、板状に構成された気泡噴出マットは、浴槽内から簡単に撤収することができるが、内部に送気パイプが格子状に配設される関係で渦巻き状や九折状などのコンパクトな形態とすることができず、保管の際に大きな保管スペースが必要となっている。
【０００４】
そこで、この発明は、家庭用の風呂を簡単に泡風呂化することができ、しかも、使用しない場合には、気泡噴出マットを渦巻き状や九折状などのコンパクトな形態として保管できる家庭用に好適な泡風呂装置を提供することを課題とする。
【０００５】
【課題を解決するための手段】
このような課題を解決するための手段として、第１の発明に係る泡風呂装置は、空気供給源に着脱自在に接続されて浴槽内の底面に設置される板状の気泡噴出マットを備えた泡風呂装置であって、前記気泡噴出マットは、上下のマット材の間に複数の送気パイプを並列に配列して包持した構造を有し、上下のマット材の間には、前記空気供給源に対する接続口を前記各送気パイプの端面または側面に開口された連通口に連通させる連通路が形成されていると共に、上部のマット材には、前記各送気パイプの上面に開口された複数の空気噴出孔に連通する複数の気泡噴出孔が形成されていることを特徴とする。
【０００６】
第１の発明に係る泡風呂装置では、空気供給源に接続された板状の気泡噴出マットが浴槽内の底面の湯中に設置された使用状態において、空気供給源から供給される空気は、気泡噴出マットの接続口から上下のマット材間の連通路を介して各送気パイプ内にその連通口から流入する。そして、この空気は、各送気パイプの上面の複数の空気噴出孔から上部のマット材の複数の気泡噴出孔を通して湯中に気泡となって噴出する。
【０００７】
ここで、前記気泡噴出マットは、上下のマット材の間に複数の送気パイプを並列に配列して包持した構造とされているため、送気パイプの配列方向に沿って渦巻き状に巻いたり、九折状に折り畳んでコンパクトな形態とすることができる。
【０００８】
また、第２の発明に係る泡風呂装置は、空気供給源に着脱自在に接続されて浴槽内の底面に設置される板状の気泡噴出マットを備えた泡風呂装置であって、前記気泡噴出マットは、上下のマット材の間に複数の送気パイプを並列に配列して包持した構造を有し、各送気パイプの一端部には、前記空気供給源に対する接続口を有する集合パイプが着脱自在に接続されると共に、上部のマット材には、前記各送気パイプの上面に開口された複数の空気噴出孔に連通する複数の気泡噴出孔が形成されていることを特徴とする。
【０００９】
第２の発明に係る泡風呂装置では、空気供給源に接続された板状の気泡噴出マットが浴槽内の底面の湯中に設置された使用状態において、空気供給源から供給される空気は、集合パイプの接続口から集合パイプ内を介して各送気パイプ内にその一端部から流入する。そして、この空気は、各送気パイプの上面の複数の空気噴出孔から上部のマット材の複数の気泡噴出孔を通して湯中に気泡となって噴出する。
【００１０】
ここで、前記気泡噴出マットは、上下のマット材の間に複数の送気パイプを並列に配列して包持した構造とされているため、各送気パイプの一端部から集合パイプを取り外すことにより、送気パイプの配列方向に沿って渦巻き状に巻いたり、九折状に折り畳んでコンパクトな形態とすることができる。
【００１１】
【発明の実施の形態】
以下、図面を参照して本発明に係る泡風呂装置の実施の形態を説明する。参照する図面において、図１は第１の発明に対応した第１実施形態に係る泡風呂装置の全体構成を示す斜視図、図２は図１に示した気泡噴出マットの斜視図、図３は図２に示した気泡噴出マットの部分断面図、図４は図３に示した送気パイプの斜視図、図５は図２に示した気泡噴出マットの保管の際の形態を示す斜視図である。
【００１２】
まず、図１に示す第１の発明に対応した第１実施形態の泡風呂装置１について説明する。この泡風呂装置１は、空気供給源としての送気装置２と、この送気装置２にフレキシブルチューブ（あるいはホース）３などを介して着脱自在に接続される板状の気泡噴出マット４とを備えて構成されている。
【００１３】
前記送気装置２は、家庭用の交流１００Ｖまたはこれを適宜変圧した所定の低電圧で作動する送気ポンプ２Ａおよびヒータ２Ｂを防水ケース２Ｃ内に収容している。防水ケース２Ｃには、前記送気ポンプ２Ａから送出される空気の吐出口２Ｄが突設されている。この送気装置２は、ヒータ２Ｂにより４０℃前後の所定温度に加温された空気を送気ポンプ２Ａにより金属製の吐出口２Ｄから吐出するように構成されており、この吐出口２Ｄに前記フレキシブルチューブ３の一端部が着脱自在に接続される。
【００１４】
前記気泡噴出マット４は、浴槽ＢＴ内の底面に設置される大きさの板状に形成されている。この気泡噴出マット４の例えば一隅部の上面には、図２に示すように、前記フレキシブルチューブ３の他端部が接続される合成樹脂製の接続口４Ａが突設されている。また、気泡噴出マット４の四隅の下面には、浴槽ＢＴ（図１参照）内の底面に吸着する可撓性のある合成樹脂製の吸盤４Ｂがそれぞれ装着されている。このような気泡噴出マット４は、図３の部分断面図に示すように、可撓性および防水性のある合成樹脂製のシート材からなる上下のマット材４Ｃ，４Ｄの間に複数本の送気パイプ５を並列に配列し、上下のマット材４Ｃ，４Ｄを接着または溶着することで各送気パイプ５を上下のマット材４Ｃ，４Ｄの間に包持した構造を有する。
【００１５】
ここで、前記送気パイプ５は、剛性のある適宜の合成樹脂材料により横長四角形の断面形状に形成されている。この送気パイプ５は、図４に示すように、両端に連通口５Ａ，５Ａが開口したものであり、その長手方向の中央部の側面には一対の連通口５Ｂ，５Ｂが対向しまたは対向しないで形成され、その上面には複数の空気噴出孔５Ｃが形成されている。各空気噴出孔５Ｃは、送気パイプ５の上面の略全域にわたるように適宜のパターンで配列される。例えば、送気パイプ５の長手方向に沿って３列に配列される。なお、送気パイプ５の断面形状は、図示の例に限らず、正方形、円形、あるいは台形であってもよい。
【００１６】
一方、図２および図３に示すように、前記気泡噴出マット４の上下のマット材４Ｃ，４Ｄの間には、前記接続口４Ａを前記各送気パイプ５の両端に開口する連通口５Ａ，５Ａに連通させる連通路４Ｅが気泡噴出マット４の周辺に沿って形成されている。また、この上下のマット材４Ｃ，４Ｄの間には、前記連通路４Ｅと各送気パイプ５の側面に開口された連通口５Ｂ，５Ｂとを連通させる連通路４Ｆが気泡噴出マット４の長手方向に沿って幅方向の中央部に形成されている。
【００１７】
そして、このような気泡噴出マット４の上部のマット材４Ｃには、前記各送気パイプ５の上面に開口された複数の空気噴出孔５Ｃに連通する複数の気泡噴出孔４Ｇが形成されている。この気泡噴出孔４Ｇの直径は、通常、２〜３ｍｍ程度に設定される。尚、各送気パイプの連通口５Ａ，５Ｂは、いずれか一方を省略することができる。連通口５Ａ，５Ｂのいずれか一方を省略した場合には、前記連通口に連通する連通路４Ｅ，４Ｆを省略した連通口に対応させて省略すればよい。
【００１８】
以上のような構造を有する第１実施形態の泡風呂装置１は、その使用に際し、送気装置２の吐出口２Ｄと気泡噴出マット４の接続口４Ａとがフレキシブルチューブ３を介して接続される。そして、気泡噴出マット４が浴槽ＢＴ内の底面に吸盤４Ｂを介して吸着固定される（図１参照）。
【００１９】
ここで、浴槽ＢＴ内に湯を張って送気装置２を運転すると、送気装置２の吐出口２Ｄから送出される４０℃程度の暖かい空気がフレキシブルチューブ３を介して気泡噴出マット４の接続口４Ａから内部の連通路４Ｅに流入する。この暖かい空気は、連通路４Ｅを通って各送気パイプ５内にその両端部の連通口５Ａ，５Ａから流入すると共に、連通路４Ｆを通って各送気パイプ５内にその側面の連通口５Ｂ，５Ｂから流入する。そして、各送気パイプ５内に流入した暖かい空気は、各送気パイプ５の上面の複数の空気噴出孔５Ｃから上部のマット材４Ｃの複数の気泡噴出孔４Ｇを通って、浴槽ＢＴ内の湯中に気泡となって噴出する。従って、第１実施形態の泡風呂装置１は、家庭用の風呂を簡単に泡風呂化することができる。
【００２０】
ここで、前記気泡噴出マット４は、フレキシブルチューブ３を取り外すことにより送気装置２と分離でき、しかも、各送気パイプ５の配列方向に沿って渦巻き状に巻いたり、九折状に折り畳むことができる。従って、使用しない場合には、気泡噴出マット４を図５の（ａ）に示すような渦巻き状や図５の（ｂ）に示すような九折状などのコンパクトな形態として保管でき、その保管スペースを減少させることができる。もちろん、巻いたり、折り畳んだりすることなく、そのまま立てかけて保管してもよい。また、連通路４Ｆは、気泡噴出マット４の片側側面にのみ設けてもよい。
【００２１】
つぎに、第２の発明に対応した第２実施形態の泡風呂装置を説明する。この泡風呂装置は、第１実施形態の泡風呂装置１における気泡噴出マット４の構造を若干変更したものであって、その他の部分は第１実施形態の泡風呂装置１と同様に構成されている。そこで、第２実施形態の泡風呂装置については、気泡噴出マットの構造を中心に説明する。この説明において、第１実施形態の泡風呂装置１の気泡噴出マット４と同様の構成部分については、同一の符号を付して詳細な説明は省略する。
【００２２】
図６に示すように、第２実施形態の泡風呂装置における気泡噴出マット１０は、上下のマット材４Ｃ，４Ｄの間に複数の送気パイプ１１を並列に配列し、上下のマット材４Ｃ，４Ｄを接着または溶着することで各送気パイプ１１を上下のマット材４Ｃ，４Ｄの間に包持した構造を有する。この気泡噴出マット１０の上部のマット材４Ｃには、各送気パイプ１１の上面に開口された複数の空気噴出孔５Ｃに連通する複数の気泡噴出孔４Ｇが形成されている（図３参照）。
【００２３】
前記送気パイプ１１は、第１実施形態の泡風呂装置１における送気パイプ５と同様の合成樹脂材料により同様の断面形状に形成されている。しかし、この送気パイプ１１は、前記送気パイプ５と異なり、一端にのみ連通口５Ａが開口され、他端は閉塞されている。また、側面には連通口５Ｂ，５Ｂが形成されていない。そして、このような各送気パイプ１１は、その一端の連通口５Ａを気泡噴出マット４の周辺に臨ませて開口している。
【００２４】
ここで、前記各送気パイプ１１の一端部の連通口５Ａには、第１実施形態の気泡噴出マット４の接続口４Ａと同様の接続口１２Ａを有する集合パイプ１２が着脱自在に接続される。この集合パイプ１２は、図７に示すように、剛性のある適宜の合成樹脂材料により横長四角形の断面形状に形成されており、その両端部は閉塞されている。この集合パイプ１２の一端部の上面には前記接続口１２Ａが突設されている。そして、この集合パイプ１２の側面には、前記各送気パイプ１１の一端部の連通口５Ａに着脱自在に気密に嵌合する複数のジョイント筒１２Ｂが長手方向に所定ピッチで配列して突設されている。
【００２５】
以上のような構造を有する第２実施形態の泡風呂装置は、その使用に際し、気泡噴出マット４の周縁に開口する各送気パイプ１１の連通口５Ａに集合パイプ１２の各ジョイント筒１２Ｂが気密に嵌合され、集合パイプ１２の上面に突出する接続口１２Ａと送気装置２の吐出口２Ｄとがフレキシブルチューブ３を介して接続される。そして、気泡噴出マット４が浴槽ＢＴ内の底面に吸盤４Ｂを介して吸着固定される（図１参照）。
【００２６】
ここで、浴槽ＢＴ内に湯を張って送気装置２を運転すると、送気装置２の吐出口２Ｄから送出される４０℃程度の暖かい空気がフレキシブルチューブ３を介して集合パイプ１２内にその接続口１２Ａから流入する。この暖かい空気は、集合パイプ１２の各ジョイント筒１２Ｂを介して各送気パイプ１１内に流入する。そして、各送気パイプ１１内に流入した暖かい空気は、各送気パイプ１１の上面の複数の空気噴出孔５Ｃから上部のマット材４Ｃの複数の気泡噴出孔４Ｇを通って浴槽ＢＴ内の湯中に気泡となって噴出する。従って、第２実施形態の泡風呂装置は、家庭用の風呂を簡単に泡風呂化することができる。
【００２７】
ここで、前記気泡噴出マット４は、集合パイプ１２を取り外すことにより、各送気パイプ１１の配列方向に沿って渦巻き状に巻いたり、九折状に折り畳むことができる。従って、使用しない場合には、気泡噴出マット４を図５の（ａ）に示すような渦巻き状や図５の（ｂ）に示すような九折状などのコンパクトな形態として保管でき、その保管スペースを減少させることができる。
【００２８】
以上のような構造を有する第１実施形態の泡風呂装置では、空気供給源に接続された板状の泡噴出マットが浴槽内の底部の湯中に設置された使用状態において、空気供給源から供給される空気は、集合パイプの接続口から集合パイプ内を介して各送気パイプ内にその一端部から流入する。そして、この空気は、各送気パイプの上面の複数の空気噴出孔から上部のマット材の複数の気泡噴出孔を通して湯中に気泡となって噴出する。従って、家庭用の風呂を簡単に泡風呂化することができる。
【００２９】
ここで、前記気泡噴出マットは、上下のマット材の間に複数の送気パイプを並列に配列して包持した構造とされているため、各送気パイプの一端部から集合パイプを取り外すことにより、送気パイプの配列方向に沿って渦巻き状に巻いたり、九折状に折り畳んでコンパクトな形態とすることができる。従って、使用しない場合には、気泡噴出マットを渦巻き状や九折状などのコンパクトな形態として保管でき、その保管スペースを減少させることができる。
【００３０】
なお、第１実施形態および第２実施形態の泡風呂装置において、空気供給源としての送気装置２は、圧縮空気のボンベで代用することも可能である。また、マット材４Ｃ、４Ｄの材質は特に限定されるものではないが、その両方またはいずれか一方に発泡シートを用いることが好ましい。
【００３１】
【発明の効果】
以上説明したとおり、第１の発明に係る泡風呂装置では、空気供給源に接続された板状の泡噴出マットが浴槽内の底部の湯中に設置された使用状態において、空気供給源から供給される空気は、気泡噴出マットの接続口から上下のマット材間の連通路を介して各送気パイプ内にその連通口から流入する。そして、この空気は、各送気パイプの上面の複数の空気噴出孔から上部のマット材の複数の気泡噴出孔を通して湯中に気泡となって噴出する。
【００３２】
従って、第１の発明に係る泡風呂装置によれば、家庭用の風呂を簡単に泡風呂化することができる。使用しない場合には、気泡噴出マットを渦巻き状や九折状などのコンパクトな形態として保管でき、その保管スペースを減少させることができる。
【００３３】
第２の発明に係る泡風呂装置では、空気供給源に接続された板状の泡噴出マットが浴槽内の底部の湯中に設置された使用状態において、空気供給源から供給される空気は、集合パイプの接続口から集合パイプ内を介して各送気パイプ内にその一端部から流入する。そして、この空気は、各送気パイプの上面の複数の空気噴出孔から上部のマット材の複数の気泡噴出孔を通して湯中に気泡となって噴出する。ここで、前記気泡噴出マットは、各送気パイプの一端部から集合パイプを取り外すことにより、送気パイプの配列方向に沿って渦巻き状に巻いたり、九折状に折り畳んでコンパクトな形態とすることができる。
【００３４】
従って、第２の発明に係る泡風呂装置によっても、家庭用の風呂を簡単に泡風呂化することができ、しかも、使用しない場合には、気泡噴出マットを渦巻き状や九折状などのコンパクトな形態として保管でき、その保管スペースを減少させることができる。
【図面の簡単な説明】
【図１】第１の発明に対応した第１実施形態に係る泡風呂装置の全体構成を示す斜視図である。
【図２】図１に示した気泡噴出マットの斜視図である。
【図３】図２に示した気泡噴出マットの部分断面図である。
【図４】図３に示した送気パイプの斜視図である。
【図５】図２に示した気泡噴出マットの保管の際の形態を示す斜視図である。
【図６】第２の発明に対応した第２実施形態に係る泡風呂装置の気泡噴出マットおよび集合パイプの分解斜視図である。
【図７】図６に示した集合パイプの斜視図である。
【符号の説明】
１　：第１実施形の泡風呂装置
２　：送気装置
２Ａ：送気ポンプ
２Ｂ：ヒータ
２Ｃ：防水ケース
２Ｄ：吐出口
３　：フレキシブルチューブ
４　：気泡噴出マット
４Ａ：接続口
４Ｂ：吸盤
４Ｃ：マット材
４Ｄ：マット材
４Ｅ：連通路
４Ｆ：連通路
４Ｇ：気泡噴出孔
５　：送気パイプ
５Ａ：連通口
５Ｂ：連通口
５Ｃ：空気噴出孔
１０　：第２実施形態の気泡噴出マット
１１　：送気パイプ
１２　：集合パイプ
１２Ａ：接続口
１２Ｂ：ジョイント筒
【図１】
2004089391.tif 000003
【図２】
2004089391.tif 000004
【図３】
2004089391.tif 000005
【図４】
2004089391.tif 000006
【図５】
2004089391.tif 000007
【図６】
2004089391.tif 000008
【図７】
2004089391.tif 000009